(57)【要約】【課題】  操作性を高めたリモートコントローラの取付構造を提供する。【解決手段】  室内（浴室２）に設置される機器を操作するリモートコントローラ（１８）の取付構造であって、前記室内の壁面（内壁面４）に取り付けられた壁掛具（３２）と、この壁掛具に着脱可能に取り付けられ、前記壁掛具と連結具（鎖５２）で連結された前記リモートコントローラの本体部（２２）と、前記壁掛具に形成されたフック（３６）と、このフックに対応して前記本体部に形成された透孔部（２８）とを備え、前記透孔部に前記フックを挿入させて前記リモートコントローラを取り付ける構成である。【選択図】        図１３
2005184425.tif 000002
【特許請求の範囲】
【請求項１】
室内に設置される機器を操作するリモートコントローラの取付構造であって、
前記室内の壁面に取り付けられた壁掛具と、
この壁掛具に着脱可能に取り付けられ、前記壁掛具と連結具で連結された前記リモートコントローラの本体部と、
前記壁掛具に形成されたフックと、
このフックに対応して前記本体部に形成された透孔部と、
を備え、前記透孔部に前記フックを挿入させて前記リモートコントローラを取り付ける構成としたことを特徴とするリモートコントローラの取付構造。
【請求項２】
室内に設置される機器を操作するリモートコントローラの取付構造であって、
前記室内の壁面に取り付けられた壁掛具と、
この壁掛具に着脱可能に取り付けられ、前記壁掛具と連結具で連結された前記リモートコントローラの本体部と、
この本体部に形成されたフックと、
このフックに対応して前記壁掛具に形成された透孔部と、
を備え、前記透孔部に前記フックを挿入させて前記リモートコントローラを取り付ける構成としたことを特徴とするリモートコントローラの取付構造。
【請求項３】
前記フックの先端部を前記透孔部の開口面積より小さく設定するとともに、前記フックと接触する前記透孔部の開口部分と、この開口部分に接触する前記フックの部分の断面形状とを相似形にしたことを特徴とする請求項１又は２記載のリモートコントローラの取付構造。
【発明の詳細な説明】
【技術分野】
【０００１】
本発明は、空調機器や浴室内暖房乾燥機等の室内機器のリモートコントローラ（以下「リモコン」と称する）の取付構造に関する。
【背景技術】
【０００２】
浴室内暖房乾燥機のリモコンは浴室内、浴室近傍の脱衣室に設置されるが、操作しないときにはホルダに収納されている。例えば、図１８の（Ａ）、（Ｂ）に示すように、リモコン１００のホルダ１０２は上側及び前面が開放された箱状のケースであり、このホルダ１０２にリモコン１００を差し込む形態で収納されている。リモコン１００の着脱による落下や紛失を防止するため、ホルダ１０２とリモコン１００は図示しない鎖等の連結具で結ばれている。
【０００３】
このようなリモコンの取付構造に関し、次のような先行特許文献が存在している。
【特許文献１】特開平８−２８９９９７号公報
【発明の開示】
【発明が解決しようとする課題】
【０００４】
ところで、ホルダ１０２からリモコン１００を外して操作をする場合、リモコン１００の上部側面を手で掴み、持ち上げながら外した後、スイッチ操作をし易いように持ち替えてから、スイッチ操作を行うという２アクション動作に煩わしさがある。また、リモコン１００をホルダ１０２に嵌める際には、ホルダ１０２に合致させるのに注意を払うことが必要となり、また、鎖状の連結具の収納に注意を払わなければならない等、煩わしいものであった。
【０００５】
また、図１８の（Ａ）に示すａ°はホルダ１０２の垂直線に対するリモコン１００の傾き角度、図１８の（Ｂ）に示すｂ°はホルダ１０２の取付壁面１０４に対するリモコン１００の前傾角度である。これらの角度ａ°、ｂ°を越えてリモコン１００を傾けた場合には、ホルダ１０２にリモコン１００を収納することができない。このため、ホルダ１０２に対するリモコン１００の収納にはその傾き角度も注意を払う必要があった。
【０００６】
そして、特許文献１には、リモコンの信頼性の高い浴室乾燥装置を提供することを課題とし、浴室内に乾燥機本体を設置し、この乾燥機本体を操作するリモコンをコードレスとし、浴室外の所定の箇所に落下防止用の紐状の連結部材を介してリモコンを設置する構成が開示されているが、斯かる構成によっても、上記課題を解決することはできない。
【０００７】
そこで、本発明は、操作性を高めたリモートコントローラの取付構造を提供することを目的とする。
【課題を解決するための手段】
【０００８】
上記目的を達成するため、本発明のリモートコントローラの取付構造は、室内（浴室２）に設置される機器を操作するリモートコントローラ（１８）の取付構造であって、前記室内の壁面（内壁面４）に取り付けられた壁掛具（３２）と、この壁掛具に着脱可能に取り付けられ、前記壁掛具と連結具（鎖５２）で連結された前記リモートコントローラの本体部（２２）と、前記壁掛具に形成されたフック（３６）と、このフックに対応して前記本体部に形成された透孔部（２８）とを備え、前記透孔部に前記フックを挿入させて前記リモートコントローラを取り付ける構成である。斯かる構成とすることにより、壁掛具に連結具でリモコンの本体部が拘束されて落下が防止され、本体部に設けられた透孔部にフックを挿入させて壁面上の壁掛具に一体化させることができ、その壁掛具からリモコンの本体部を取り外すことが可能である。例えば、本体部には、落下、紛失防止用の連結具（鎖）が取り付けられ、連結具はフックの左側突出部につながれている。
【０００９】
上記目的を達成するため、本発明のリモートコントローラの取付構造は、室内に設置される機器を操作するリモートコントローラの取付構造であって、前記室内の壁面に取り付けられた壁掛具と、この壁掛具に着脱可能に取り付けられ、前記壁掛具と連結具で連結された前記リモートコントローラの本体部と、この本体部に形成されたフックと、このフックに対応して前記壁掛具に形成された透孔部とを備え、前記透孔部に前記フックを挿入させて前記リモートコントローラを取り付ける構成である。斯かる構成とすることにより、同様に、壁掛具に連結具でリモコンの本体部が拘束されて落下が防止され、壁掛具に設けられた透孔部にフックを挿入させて壁面上の壁掛具に一体化させることができ、その壁掛具からリモコンの本体部を取り外すことが可能である。
【００１０】
上記目的を達成するためには、前記フックの先端部を前記透孔部の開口面積より小さく設定するとともに、前記フックと接触する前記透孔部の開口部分と、この開口部分に接触する前記フックの部分の断面形状とを相似形にした構成としてもよい。
【００１１】
斯かる構成とすれば、前記フックの先端部が前記透孔部の開口面積より小さく設定されているので、ユーザは容易に透孔部にフックを挿入することができ、フックの断面形状と透孔部の開口部分が相似形であるため、壁側に本体部を押し付けることでフックと一体的になる。
【発明の効果】
【００１２】
以上説明したように、本発明によれば、次のような効果が得られる。
【００１３】
ａ  取り出したときの手の状態でスイッチ操作が可能であり、持ち替えをする必要がなく、操作した手の状態で収納も可能である。
【００１４】
ｂ  透孔部とフックとを一体化してリモコンを収納することができるとともに、壁掛具及びリモコンを取付壁面に密着させて取り付けることができる。
【発明を実施するための最良の形態】
【００１５】
本発明の実施形態について、図１を参照して説明する。図１は、浴室用暖房乾燥機の設置例を示している。
【００１６】
室内用機器の設置例として例えば、浴室２の内壁面４には浴室用暖房乾燥機６の本体部８が取り付けられ、その外気及び循環用のファン１０が外壁面側に設置されている。ファン１０と浴室用暖房乾燥機６とは壁を介して連結されている。１２は浴槽である。
【００１７】
浴室用暖房乾燥機６は放熱用の熱交換機を備えており、浴室２外に設置された暖房用熱源機１４で所定温度に加熱された熱媒が配管１６を通じて循環ポンプにより上記熱交換機に送られ、送風用のファンの駆動により浴室２内が暖房される。この浴室用暖房乾燥機６を操作するリモコン１８は、その設置が既築住宅の場合も多いため、ワイヤレス方式を採っている。
【００１８】
そして、リモコン１８は、この実施形態では浴室２の内壁面４に設置されている。リモコン１８は、浴室用暖房乾燥機６との赤外線通信が可能な浴室２近傍の脱衣室等に取り付けてもよい。
【００１９】
浴室用暖房乾燥機６の本体部８は、例えば、図２及び図３に示す外観形態を備えており、図２の（Ａ）はその正面図、（Ｂ）はその平面図、（Ｃ）はその底面図、図３はその左側面図であり、その右側面図は左側面図と対称形である。この本体部８において、前面側には前面カバー２０が開閉可能に取り付けられ、その内部にはリモコン１８との赤外線通信等の本体受信部が内蔵されている。
【００２０】
次に、リモコン１８の形態について、図４、図５及び図６を参照して説明する。図４において、（Ａ）はリモコン１８の正面図、（Ｂ）はその平面図、（Ｃ）はその底面図であり、図５において、（Ａ）はその背面図、（Ｂ）はその右側面図であり、図６は前面パネルの表示等を示している。
【００２１】
リモコン１８の本体部２２の前面部には、情報を表示する表示部２４、複数のスイッチからなるスイッチ群２６が設けられているとともに、その上部には半円形の透孔部２８が形成されるとともに、引掛け部２９が形成され、その背面側には凹部３０が形成されている。そして、図６に示すように、スイッチ群２６の各スイッチには乾燥、暖房等のスイッチ機能が割り当てられ、表示部２４はＬＣＤ表示器で構成され、乾燥、暖房、風向、風量、温度、時間等の文字表示や図形表示が行われる。
【００２２】
次に、リモコン１８を取り付ける壁掛具について、図７及び図８を参照して説明する。図７において、（Ａ）は壁掛具の正面図、（Ｂ）はその平面図、（Ｃ）はその底面図、（Ｄ）はその左側面図、（Ｅ）はその右側面図であり、図８は壁掛具の取付状態を示す断面図である。
【００２３】
壁掛具３２は、円形の本体部３４の上半分側にフック３６を前方側に突出させ、フック３６の下側に固定孔３８、４０を形成させ、中央左側部に連結具用取付部４２を形成したものである。フック３６は、先端部４４を透孔部２８の開口面積より小さく形成するとともに、上方に折り曲げて鉤状に形成され、その中間部に透孔部２８に合致する垂直断面部分を備えている。連結具用取付部４２には透孔４６が形成されている。
【００２４】
この壁掛具３２は、図８に示すように、浴室２の内壁面４の所望の位置に位置決めし、ねじ４８、５０を以て固定することができる。この場合、フック３６は上方に向けて設置するものとする。
【００２５】
そして、例えば、図９に示すように、壁掛具３２の連結具用取付部４２に連結具としての鎖５２の一端を固定し、その他端にリモコン１８の本体部２２を固定することができる。この場合、鎖５２をリモコン１８の操作上邪魔にならない程度の長さとすれば、フック３６に取り付けた際に弛みを生じるとともに、フック３６にリモコン１８を取り付けることができる。図１０及び図１１は、リモコン１８の壁掛具３２に対する固定状態を示しており、図１０において、（Ａ）はその正面図、（Ｂ）はその平面図、（Ｃ）はその底面図、（Ｄ）はその左側面図、図１１はその右側面図であり、図１２は壁掛具３２とリモコン１８の結合状態を示す断面図である。
【００２６】
以上述べたように、浴室２の内壁面４に例えば、図１３の（Ａ）に示すように、壁掛具３２が取り付けられると、リモコン１８の透孔部２８にフック３６を通すことにより、図１３の（Ｂ）に示すように、壁掛具３２のフック３６を透孔部２８に挿入させて壁掛具３２にリモコン１８を取り付けることができる。この場合、リモコン１８の透孔部２８とフック３６の結合構造は、１アクションで着脱が可能な構造であるため、簡単な操作、引っ掛け操作及びその解除が容易である。そして、透孔部２８とフック３６は相似形であるため、図１４に示すように、透孔部２８の湾曲した内壁面にフック３６の曲面状の外壁面が嵌まり込んで密着した結合状態となり、一体的な取付状態が形成される。
【００２７】
また、リモコン１８の本体部２２の上部側には凹部３０が形成されており、この凹部３０に壁掛具３２の本体部３４が挿入されるので、例えば、図１０の（Ｄ）、図１１及び図１２に示すように、壁掛具３２のフック３６の突出量と大差のない突出で浴室２の内壁面４に取り付けられ、内壁面４からの出っ張りを小さく抑えることができる。
【００２８】
また、従来のホルダ式リモコンでは、かなり限られた方向からでないと収納できなかったが、図１５及び図１６に示すように、本実施形態では広い角度からの着脱が可能となり、また、従来のホルダ式リモコンでは、リモコン収納時チェーンが邪魔になっていたが、本実施形態のように鎖５２を収容する必要がないので、その鎖５２が邪魔になることはない。図１５に示すＡ°は壁掛具３２の垂直線に対するリモコン１８の傾き角度、図１６に示すＢ°は壁掛具３２の取付面即ち、浴室２の内壁面４に対するリモコン１８の後傾角度である。これらの角度Ａ°、Ｂ°は、図１８の角度ａ°、ｂ°より大きく取ることができ（Ａ°＞ａ°、Ｂ°＞ｂ°）、着脱の自由度が高められ、操作性が向上している。透孔部２８とフック３６との結合は密であるが、フック３６の湾曲面に沿ってリモコン１８を前方又は側面側にフック３６を中心にして回動させることができる。
【００２９】
そして、図１７に示すように、壁掛具３２からリモコン１８を外し、リモコン１８の送信部５４を本体部８の受信部５６に向けて赤外線５８を送信することにより、リモコン操作が可能となる。この場合、リモコン１８の引掛け部２９が送信部５４の窓部より細いため、赤外線５８の送信の妨げにはならない。
【００３０】
以上述べたように、フック３６に掛けられた状態で操作可能等、操作性が高められ、使用の際、リモコン１８のスイッチ操作に適した位置へ最初から掴むことができ、そのまま指でスイッチ操作が行える（１アクション動作）利点がある。また、使用終了時  操作時の持ち方を変えずに、リモコン１８の透孔部２８をフック３６に引っ掛けるだけなので、容易に収納できる。フック３６に引っ掛けた際、フック３６とリモコン１８が一体的になる。また、連結具用取付部４２を左側に突出させて形成したことから、リモコン１８を内壁面４に密着させることができ、出っ張りを抑え、シンプルなデザイン化を図ることができる。
【００３１】
なお、実施形態では、リモコン１８側に透孔部２８及び引掛け部２９を形成し、壁掛具３２側にフック３６を形成したが、壁掛具３２側に透孔部２８及び引掛け部２９を形成し、リモコン１８側にフック３６を形成して両者を結合するように構成してもよく、斯かる構成によっても、同様の効果が期待できる。
【００３２】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００３３】
本発明のリモートコントローラの取付構造は、室内機器のリモートコントローラの操作性の向上とともに、設置されたリモートコントローラの突出量を抑えることができる等、利便性の高い取付構造を実現でき、有用である。
【図面の簡単な説明】
【００３４】
【図１】本発明の実施形態に係る浴室の概要を示す図である。
【図２】浴室用暖房乾燥機の外観形態を示し、（Ａ）はその正面図、（Ｂ）はその平面図、（Ｃ）はその底面図である。
【図３】浴室用暖房乾燥機の外観形態を示す側面図である。
【図４】リモコンの外観形態を示し、（Ａ）はその正面図、（Ｂ）はその平面図、（Ｃ）はその底面図である。
【図５】リモコンの外観形態を示し、（Ａ）はその背面図、（Ｂ）はその側面図である。
【図６】リモコンの表示パネル面を示す正面図である。
【図７】壁掛具を示し、（Ａ）はその正面図、（Ｂ）はその平面図、（Ｃ）はその底面図、（Ｄ）はその左側面図、（Ｅ）はその右側面図である。
【図８】壁掛具の取付構造を示す断面図である。
【図９】結合及び連結された壁掛具とリモコンとを示す斜視図である。
【図１０】壁掛具と合体されたリモコンを示し、（Ａ）はその正面図、（Ｂ）はその平面図、（Ｃ）はその底面図、（Ｄ）はその左側面図である。
【図１１】壁掛具と合体されたリモコンを示す右側面図である。
【図１２】壁掛具と合体された状態を示す断面図である。
【図１３】リモコンの取付操作を示す斜視図である。
【図１４】壁掛具のフックとリモコンの引掛け部との結合状態を示す図である。
【図１５】リモコンの操作性を示す斜視図である。
【図１６】リモコンの操作性を示す側面図である。
【図１７】リモコン操作を示す図である。
【図１８】従来のリモコンの取付構造を示し、（Ａ）はその正面図、（Ｂ）はその側面図である。
【符号の説明】
【００３５】
２  浴室
４  内壁面
１８  リモートコントローラ
２２  本体部
２８  透孔部
３２  壁掛具
３６  フック
５２  鎖（連結具）
【図１】
2005184425.tif 000003
【図２】
2005184425.tif 000004
【図３】
2005184425.tif 000005
【図４】
2005184425.tif 000006
【図５】
2005184425.tif 000007
【図６】
2005184425.tif 000008
【図７】
2005184425.tif 000009
【図８】
2005184425.tif 000010
【図９】
2005184425.tif 000011
【図１０】
2005184425.tif 000012
【図１１】
2005184425.tif 000013
【図１２】
2005184425.tif 000014
【図１３】
2005184425.tif 000015
【図１４】
2005184425.tif 000016
【図１５】
2005184425.tif 000017
【図１６】
2005184425.tif 000018
【図１７】
2005184425.tif 000019
【図１８】
2005184425.tif 000020